(57)【要約】【課題】利用者端末がネットワークに接続できない状態において、利用者の必要とする情報を利用者端末に対して提供することができるアクセスポイント、定型情報サーバ、情報提供システム、情報提供方法、情報処理方法、情報提供プログラム及び情報処理プログラムを提供する。【解決手段】  利用者端末と第１の通信方式の無線通信を行う第１通信部と、ネットワークを介してサーバと通信を行う第２通信部と、第２通信部においてネットワークを介してサーバと通信ができるか否かを判断する判断部と、第１通信部が設置されている位置において利用者端末の利用者の必要とする情報を含む定型情報を記録する情報記録部と、判断部においてサーバとの通信ができないと判断した場合に、情報記録部に記録された定型情報を利用者端末へ第１通信部を介して送信する第１送信部とを備える。【選択図】図２
2017055342.tif 000002
【特許請求の範囲】
【請求項１】
利用者端末と第１の通信方式の無線通信を行う第１通信部と、
ネットワークを介してサーバと通信を行う第２通信部と、
前記第２通信部において前記ネットワークを介して前記サーバと通信ができるか否かを判断する判断部と、
前記第１通信部が設置されている位置において前記利用者端末の利用者の必要とする情報を含む定型情報を記録する情報記録部と、
前記判断部において前記ーバとの通信ができないと判断した場合に、前記情報記録部に記録された前記定型情報を前記利用者端末へ前記第１通信部を介して送信する第１送信部と、
を備えるアクセスポイント。
【請求項２】
前記定型情報は、前記利用者端末の周辺において異常事態が発生した場合に前記利用者の必要とする前記異常事態に関する情報である請求項１に記載のアクセスポイント。
【請求項３】
前記第１の通信方式は利用者の認証を行う通信方式であり、前記第１通信部は、前記利用者端末と前記利用者の認証を行わない第２の通信方式の無線通信を行う機能を有し、
前記第１送信部は、前記判断部が前記サーバとの通信ができないと判断し、かつ、前記第１通信部が前記利用者端末から前記第２の通信方式の無線通信による通信要求を受信したと判断した場合に、前記定型情報を前記利用者端末へ送信する請求項１又は請求項２に記載のアクセスポイント。
【請求項４】
前記サーバは、前記第１通信部の位置を特定する情報である位置情報に基づいて前記定型情報を生成し、生成した前記定型情報を前記第２通信部へ送信する機能を有し、
前記第２通信部を介して前記サーバへ前記位置情報を送信する位置情報処理部をさらに備える請求項１から３のいずれか一項に記載のアクセスポイント。
【請求項５】
利用者端末に無線通信サービスを提供するアクセスポイントとネットワークを介して通信を行う第３通信部と、
前記アクセスポイントが設置されている位置に関する情報である位置情報を取得する位置情報取得部と、
前記位置情報取得部が取得した前記位置情報に基づいて、前記位置において前記利用者端末の利用者の必要とする情報を含む定型情報を取得する定型情報取得部と、
前記定型情報取得部が取得した前記定型情報を前記アクセスポイントへ前記第３通信部を介して送信する定型情報処理部と、
を備える定型情報サーバ。
【請求項６】
前記定型情報は、前記利用者端末の周辺において異常事態が発生した場合に前記利用者の必要とする前記異常事態に関する情報である請求項５に記載の定型情報サーバ。
【請求項７】
利用者端末と無線通信を行うアクセスポイントと、ネットワークを介して前記アクセスポイントと通信を行うサーバとを備える情報提供システムであって、
前記サーバは、
前記アクセスポイントが設置されている位置に関する情報である位置情報を取得する位置情報取得部と、
前記位置情報取得部が取得した前記位置情報に基づいて、前記位置において前記利用者端末の利用者の必要とする情報を含む定型情報を取得する定型情報取得部と、
前記定型情報取得部が取得した前記定型情報を前記アクセスポイントへ送信する送信部と、
を備え、
前記アクセスポイントは、
前記サーバから前記定型情報を受信する受信部と、
前記ネットワークを介して前記サーバと通信ができるか否かを判断する判断部と、
前記判断部において前記サーバとの通信ができないと判断した場合に、前記受信部が受信した前記定型情報を前記利用者端末へ前記無線通信により送信する無線送信部と、
を備える情報提供システム。
【請求項８】
前記定型情報は、前記利用者端末の周辺において異常事態が発生した場合に前記利用者の必要とする前記異常事態に関する情報である請求項７に記載の情報提供システム。
【請求項９】
利用者端末と無線通信を行う第１通信部と、ネットワークを介してサーバと通信を行う第２通信部と、前記第１通信部が設置されている位置において前記利用者端末の利用者の必要とする情報を含む定型情報を記録する情報記録部とを備えるアクセスポイントを用いた情報提供方法であって、
前記第２通信部において前記ネットワークを介して前記サーバと通信ができるか否かを判断する判断ステップと、
前記判断ステップにおいて前記サーバとの通信ができないと判断した場合に、前記定型情報を前記利用者端末へ前記第１通信部を介して送信する送信ステップと、
を有する情報提供方法。
【請求項１０】
前記定型情報は、前記利用者端末の周辺において異常事態が発生した場合に前記利用者の必要とする前記異常事態に関する情報である請求項９に記載の情報提供方法。
【請求項１１】
利用者端末に無線通信サービスを提供するアクセスポイントとネットワークを介して通信を行うサーバを用いた情報処理方法であって、
前記アクセスポイントが設置されている位置に関する情報である位置情報を取得する位置情報取得ステップと、
前記位置情報取得ステップにおいて取得した前記位置情報に基づいて、前記位置において前記利用者端末の利用者の必要とする情報を含む定型情報を取得する定型情報取得ステップと、
前記定型情報取得ステップにおいて取得した前記定型情報を前記アクセスポイントへ送信する送信ステップと、
を有する情報処理方法。
【請求項１２】
前記定型情報は、前記利用者端末の周辺において異常事態が発生した場合に前記利用者の必要とする前記異常事態に関する情報である請求項１１に記載の情報処理方法。
【請求項１３】
利用者端末と無線通信を行う第１通信部と、ネットワークを介してサーバと通信を行う第２通信部と、前記第１通信部が設置されている位置において前記利用者端末の利用者の必要とする情報を含む定型情報を記録する情報記録部とを備えるアクセスポイントで実行される情報提供プログラムであって、
前記第２通信部において前記ネットワークを介して前記サーバと通信ができるか否かを判断する判断ステップと、
前記判断ステップにおいて前記サーバとの通信ができないと判断した場合に、前記定型情報を前記利用者端末へ前記第１通信部を介して送信する送信ステップと、
をコンピュータに実行させるための情報提供プログラム。
【請求項１４】
利用者端末に無線通信サービスを提供するアクセスポイントとネットワークを介して通信を行うサーバで実行される情報処理プログラムであって、
前記アクセスポイントが設置されている位置に関する情報である位置情報を取得する位置情報取得ステップと、
前記位置情報取得ステップにおいて取得した前記位置情報に基づいて、前記位置において前記利用者端末の利用者の必要とする情報を含む定型情報を取得する定型情報取得ステップと、
前記定型情報取得ステップにおいて取得した前記定型情報を前記アクセスポイントへ送信する送信ステップと、
をコンピュータに実行させるための情報処理プログラム。
【発明の詳細な説明】
【技術分野】
【０００１】
本発明は、アクセスポイント、定型情報サーバ、情報提供システム、情報提供方法、情報処理方法、情報提供プログラム及び情報処理プログラムに関する。
【背景技術】
【０００２】
Ｗｉ−Ｆｉ（登録商標）サービス等の無線ＬＡＮサービスは、無線通信の機能を有する携帯電話等の利用者端末に対して、その無線通信を利用してインターネットに接続するためのサービスである。アクセスポイントは、無線ＬＡＮサービスを提供するための装置であり、店舗、公共施設、自宅等に設置されている。アクセスポイントは、プロキシサーバ等の上位サーバを介してインターネットに接続するサービスを利用者端末に提供している。
【０００３】
また、災害等の異常事態が発生した場合に、利用者の現在地付近に関する情報等の異常事態に対応するための情報をインターネット経由で利用者端末において取得できるサービスがある。しかし、これらのサービスは、利用者端末がインターネットに接続できる状態であることが前提である。そして、災害等の異常事態によって物理的にネットワークが切断された等の原因により、利用者端末がインターネットに接続できなくなる状態となることも考えられる。このようなネットワークに接続できない状態では、利用者端末は、利用者の必要とする情報を取得することができない。
【０００４】
利用者端末がネットワークに接続できない原因は、災害等に限定されるものではなく、通信負荷の増大により輻輳がおこりネットワークに接続できない場合を含む。また、輻輳によってネットワークに接続しにくい状態又はネットワークの通信品質が大きく低下した状態（以下、ネットワークに接続できない状態に準ずる状態という）においても、利用者端末は、利用者の必要とする情報を取得できない場合がある。
【先行技術文献】
【特許文献】
【０００５】
【特許文献１】特開２０１１−０５５２５７号公報
【特許文献２】特開２００７−１８１０２７号公報
【発明の概要】
【発明が解決しようとする課題】
【０００６】
上記事情に鑑み、本発明は、利用者端末がネットワークに接続できない状態又はネットワークに接続できない状態に準ずる状態において、利用者の必要とする情報を利用者端末に対して提供することができるアクセスポイント、定型情報サーバ、情報提供システム、情報提供方法、情報処理方法、情報提供プログラム及び情報処理プログラムを提供することを目的としている。
【課題を解決するための手段】
【０００７】
本発明の一態様は、利用者端末と第１の通信方式の無線通信を行う第１通信部と、ネットワークを介してサーバと通信を行う第２通信部と、前記第２通信部において前記ネットワークを介して前記サーバと通信ができるか否かを判断する判断部と、前記第１通信部が設置されている位置において前記利用者端末の利用者の必要とする情報を含む定型情報を記録する情報記録部と、前記判断部において前記サーバとの通信ができないと判断した場合に、前記情報記録部に記録された前記定型情報を前記利用者端末へ前記第１通信部を介して送信する第１送信部と、を備えるアクセスポイントである。
【０００８】
本発明の一態様は、上記のアクセスポイントであって、前記定型情報は、前記利用者端末の周辺において異常事態が発生した場合に前記利用者の必要とする前記異常事態に関する情報である。
【０００９】
本発明の一態様は、上記のアクセスポイントであって、前記第１の通信方式は利用者の認証を行う通信方式であり、前記第１通信部は、前記利用者端末と前記利用者の認証を行わない第２の通信方式の無線通信を行う機能を有し、前記第１送信部は、前記判断部が前記サーバとの通信ができないと判断し、かつ、前記第１通信部が前記利用者端末から前記第２の通信方式の無線通信による通信要求を受信したと判断した場合に、前記定型情報を前記利用者端末へ送信する。
【００１０】
本発明の一態様は、上記のアクセスポイントであって、前記サーバは、前記第１通信部の位置を特定する情報である位置情報に基づいて前記定型情報を生成し、生成した前記定型情報を前記第２通信部へ送信する機能を有し、前記第２通信部を介して前記サーバへ前記位置情報を送信する位置情報処理部をさらに備える。
【００１１】
本発明の一態様は、利用者端末に無線通信サービスを提供するアクセスポイントとネットワークを介して通信を行う第３通信部と、前記アクセスポイントが設置されている位置に関する情報である位置情報を取得する位置情報取得部と、前記位置情報取得部が取得した前記位置情報に基づいて、前記位置において前記利用者端末の利用者の必要とする情報を含む定型情報を取得する定型情報取得部と、前記定型情報取得部が取得した前記定型情報を前記アクセスポイントへ前記第３通信部を介して送信する定型情報処理部と、を備える定型情報サーバである。
【００１２】
本発明の一態様は、上記の定型情報サーバであって、前記定型情報は、前記利用者端末の周辺において異常事態が発生した場合に前記利用者の必要とする前記異常事態に関する情報である。
【００１３】
本発明の一態様は、利用者端末と無線通信を行うアクセスポイントと、ネットワークを介して前記アクセスポイントと通信を行うサーバとを備える情報提供システムであって、前記サーバは、前記アクセスポイントが設置されている位置に関する情報である位置情報を取得する位置情報取得部と、前記位置情報取得部が取得した前記位置情報に基づいて、前記位置において前記利用者端末の利用者の必要とする情報を含む定型情報を取得する定型情報取得部と、前記定型情報取得部が取得した前記定型情報を前記アクセスポイントへ送信する送信部と、を備え、前記アクセスポイントは、前記サーバから前記定型情報を受信する受信部と、前記ネットワークを介して前記サーバと通信ができるか否かを判断する判断部と、前記判断部において前記サーバとの通信ができないと判断した場合に、前記受信部が受信した前記定型情報を前記利用者端末へ前記無線通信により送信する無線送信部と、を備える情報提供システムである。
【００１４】
本発明の一態様は、上記の情報提供システムであって、前記定型情報は、前記利用者端末の周辺において異常事態が発生した場合に前記利用者の必要とする前記異常事態に関する情報である。
【００１５】
本発明の一態様は、利用者端末と無線通信を行う第１通信部と、ネットワークを介してサーバと通信を行う第２通信部と、前記第１通信部が設置されている位置において前記利用者端末の利用者の必要とする情報を含む定型情報を記録する情報記録部とを備えるアクセスポイントを用いた情報提供方法であって、前記第２通信部において前記ネットワークを介して前記サーバと通信ができるか否かを判断する判断ステップと、前記判断ステップにおいて前記サーバとの通信ができないと判断した場合に、前記定型情報を前記利用者端末へ前記第１通信部を介して送信する送信ステップと、を有する情報提供方法である。
【００１６】
本発明の一態様は、上記の情報提供方法であって、前記定型情報は、前記利用者端末の周辺において異常事態が発生した場合に前記利用者の必要とする前記異常事態に関する情報である。
【００１７】
本発明の一態様は、利用者端末に無線通信サービスを提供するアクセスポイントとネットワークを介して通信を行うサーバを用いた情報処理方法であって、前記アクセスポイントが設置されている位置に関する情報である位置情報を取得する位置情報取得ステップと、前記位置情報取得ステップにおいて取得した前記位置情報に基づいて、前記位置において前記利用者端末の利用者の必要とする情報を含む定型情報を取得する定型情報取得ステップと、前記定型情報取得ステップにおいて取得した前記定型情報を前記アクセスポイントへ送信する送信ステップと、を有する情報処理方法である。
【００１８】
本発明の一態様は、上記の情報処理方法であって、前記定型情報は、前記利用者端末の周辺において異常事態が発生した場合に前記利用者の必要とする前記異常事態に関する情報である。
【００１９】
本発明の一態様は、利用者端末と無線通信を行う第１通信部と、ネットワークを介してサーバと通信を行う第２通信部と、前記第１通信部が設置されている位置において前記利用者端末の利用者の必要とする情報を含む定型情報を記録する情報記録部とを備えるアクセスポイントで実行される情報提供プログラムであって、前記第２通信部において前記ネットワークを介して前記サーバと通信ができるか否かを判断する判断ステップと、前記判断ステップにおいて前記サーバとの通信ができないと判断した場合に、前記定型情報を前記利用者端末へ前記第１通信部を介して送信する送信ステップと、をコンピュータに実行させるための情報提供プログラムである。
【００２０】
本発明の一態様は、利用者端末に無線通信サービスを提供するアクセスポイントとネットワークを介して通信を行うサーバで実行される情報処理プログラムであって、前記アクセスポイントが設置されている位置に関する情報である位置情報を取得する位置情報取得ステップと、前記位置情報取得ステップにおいて取得した前記位置情報に基づいて、前記位置において前記利用者端末の利用者の必要とする情報を含む定型情報を取得する定型情報取得ステップと、前記定型情報取得ステップにおいて取得した前記定型情報を前記アクセスポイントへ送信する送信ステップと、をコンピュータに実行させるための情報処理プログラムである。
【発明の効果】
【００２１】
本発明により、利用者端末がネットワークに接続できない状態において、利用者の必要とする情報を利用者端末に対して提供することができる。
【図面の簡単な説明】
【００２２】
【図１】第１の実施形態における災害情報サーバと、アクセスポイントとを備える情報提供システムの構成例を示すブロック図である。
【図２】第１の実施形態の災害情報サーバ２、アクセスポイント４及び利用者端末６の構成例を示す図である。
【図３】定型情報ＤＢ２１及び災害関連情報ＤＢ２２に記録する情報の構成例を示す図である。
【図４】位置情報格納部４３、定型情報格納部４４及び定型情報保存部６５に格納する情報の構成例を示す図である。
【図５】第１の実施形態の情報提供システム１の動作を示すシーケンス図である。
【図６】第１の実施形態のアクセスポイント４の処理の詳細を示すフロー図である。
【図７】第２の実施形態における定型情報サーバと、アクセスポイントとを備える情報提供システムの構成例を示すブロック図である。
【図８】第２の実施形態の定型情報サーバ２Ａ、アクセスポイント４Ａ及び利用者端末６Ａの構成例を示す図である。
【図９】定型情報ＤＢ２６及び定型関連情報ＤＢ２７に記録する情報の構成例を示す図である。
【図１０】第２の実施形態の情報提供システム１Ａの動作を示すシーケンス図である。
【発明を実施するための形態】
【００２３】
以下、図面を参照して、本発明に係る一実施形態における災害情報サーバ（定型情報サーバ）と、アクセスポイントとを備える情報提供システムについて説明する。
＜第１の実施形態＞
図１は、第１の実施形態における災害情報サーバと、アクセスポイントとを備える情報提供システムの構成例を示すブロック図である。図１に示すように、第１の実施形態の情報提供システム１は、災害情報サーバ２と、アクセスポイント４−１、４−２、４−３、…（以下、アクセスポイント４とする。）とを備える。
【００２４】
災害情報サーバ２は、ネットワーク３を介してアクセスポイント４と通信可能であり、アクセスポイント４の周辺の避難所や病院等の位置を示す地図等を含む定型情報を、アクセスポイント４を特定する情報に関連付けて格納する定型情報ＤＢ（データベース）２１を備える。ネットワーク３は、インターネットプロトコル技術を利用して通信を行うインターネット及びＮＧＮ（次世代ネットワーク）等の通信網を含むネットワークである。
【００２５】
アクセスポイント４は、例えばＷｉ−Ｆｉ（登録商標）サービス等の無線ＬＡＮサービスを、利用者端末６−１、６−２、６−３、６−４、６−５、…（以下、利用者端末６とする。）に対して提供する。アクセスポイント４は、無線ネットワーク５−１、５−２、５−３、…（以下、無線ネットワーク５とする。）を介して利用者端末６と無線通信を行う。
【００２６】
利用者端末６は、無線ネットワーク５を介してアクセスポイント４と無線通信可能な無線通信端末であって、例えば、Ｗｉ−Ｆｉ（登録商標）通信機能を備えた携帯電話である。ＩＳＰ(Internet Service Provider)７は、利用者端末６及びインターネットに接続可能なコンピュータ端末（図１には示していない）に対して、インターネットに接続するサービスを提供する。ＩＳＰ７は、インターネットを利用した種々のサービスを利用者端末６及びコンピュータ端末に対して提供するサービス提供部７１を備える。
【００２７】
災害情報サーバ２は、アクセスポイント４に対してアクセスポイント４の設置場所周辺の避難所や病院等の地図を含む定型情報を提供する機能を有する。災害情報サーバ２は、例えば緯度経度で特定されるアクセスポイント４の位置情報をアクセスポイント４から受信して、その位置情報に基づいて定型情報を生成し、生成した定型情報をアクセスポイント４へ送信する機能を有する。
【００２８】
この定型情報とは、災害等の異常事態の影響で利用者端末６がネットワーク３に接続できない状態において、利用者が異常事態に対応するために必要とする情報である。この利用者が異常事態に対応するために必要とする情報は、利用者が安全に移動するための情報、利用者が安全に避難するための情報及び利用者が適切な治療を受けるための情報等である。利用者が安全に移動・避難するための情報とは、例えば、上述した避難所や病院等の地図データの他に、避難所や病院の名称及び住所の文字データ、交通機関に関する情報、帰宅経路に関する情報等である。
【００２９】
アクセスポイント４は、利用者端末６に対して無線ＬＡＮサービスを提供するために、例えば利用者の自宅、店舗、公用施設等に設置されている。アクセスポイント４は、災害情報サーバ２に対して、自身の緯度経度に関する情報を含む位置情報を送信する機能と、その位置情報に基づいて災害情報サーバ２において生成された定型情報を、災害情報サーバ２から受信して保持する機能とを有する。
【００３０】
アクセスポイント４は、災害時にどの利用者の利用者端末６からでもアクセスを受け付けるモードである災害モードに移行する機能と、災害モードに移行した場合に、保持している定型情報をアクセスしてきた利用者端末６に対して提供する機能とを有する。無線ネットワーク５は、アクセスポイント４が提供する無線ＬＡＮサービスにより実現されるネットワークである。利用者端末６は、災害モードに移行したアクセスポイント４から定型情報を取得して表示部に表示する災害用アプリケーションを実装している。情報提供システム１は、異常事態の影響で利用者端末６がネットワーク３に接続できない状態において、利用者が異常事態に対応するための情報を利用者端末６に対して提供することができる。
【００３１】
図１に示すアクセスポイント４、無線ネットワーク５、利用者端末６の各々の個数や接続状態は一例を示すものである。アクセスポイント４−１は、無線ネットワーク５−１を介して利用者端末６−１、６−２と無線通信を行う。アクセスポイント４−２は、無線ネットワーク５−２を介して利用者端末６−３、６−４と無線通信を行う。アクセスポイント４−３は、無線ネットワーク５−３を介して利用者端末６−５と無線通信を行う。災害モードのアクセスポイント４−１は、災害用アプリケーションを起動した利用者端末６−１、６−２に定型情報を提供し、災害モードのアクセスポイント４−２は、災害用アプリケーションを起動した利用者端末６−３、６−４に定型情報を提供し、災害モードのアクセスポイント４−３は、災害用アプリケーションを起動した利用者端末６−５に定型情報を提供する。
【００３２】
＜災害情報サーバ２、アクセスポイント４及び利用者端末６の構成＞
次に、第１の実施形態の情報提供システム１が備える災害情報サーバ２及びアクセスポイント４の構成例と、利用者端末６の構成例とについて説明する。
図２は、第１の実施形態の災害情報サーバ２、アクセスポイント４及び利用者端末６の構成例を示す図である。
【００３３】
＜＜災害情報サーバ２の構成＞＞
図２に示すように、災害情報サーバ２は、定型情報ＤＢ２１と、災害関連情報ＤＢ２２と、定型情報生成部２３と、情報入力部２４と、通信部２５とを備える。定型情報ＤＢ２１は、上述したとおり、アクセスポイント４の周辺の施設等に関する情報を含む定型情報を、アクセスポイント４を特定する情報に関連付けて記録する。災害関連情報ＤＢ２２は、災害時に役立つ情報として、避難所に関する情報、公共機関／公共施設に関する情報、病院に関する情報等を、その施設の位置情報（緯度、経度）に関連付けて記録する。災害時に役立つ情報とは、利用者が災害等の異常事態に対応するための情報であり、例えば利用者が安全に移動・避難するための情報等である。
【００３４】
定型情報生成部２３は、通信部２５がアクセスポイント４から受信した位置情報に基づいて、災害関連情報ＤＢ２２から当該位置情報を中心とする半径１ｋｍ〜５ｋｍの範囲の避難所や公共機関／公共施設等に関する情報を抽出する。この施設等を抽出する範囲は、被災エリアであってアクセスポイント４を含む任意の広さの範囲であればよい。定型情報生成部２３は、その抽出した情報の一部又は全部を利用して、避難所や公共機関／公共施設等の位置を地図上に示した画像データと、避難所や公共機関／公共施設等の名称及び住所を含む文字データとを合わせた定型情報を生成する。定型情報生成部２３は、生成した定型情報を定型情報ＤＢ２１に記録させる。通信部２５は、定型情報生成部２３が生成した定型情報をアクセスポイント４へ送信する。
【００３５】
なお、第１の実施形態の定型情報生成部２３は、画像データと文字データの両方を含む定型情報を生成する構成であるが、この限りではない。定型情報生成部２３は、画像データのみを含む定型情報を生成する構成であってもよく、文字データのみを含む定型情報を生成する構成であってもよい。また、定型情報生成部２３は、災害関連情報ＤＢ２２に記録されていない情報であって、定型情報の生成に必要な情報（例えば、地図の画像データ等）を、通信部２５を介してネットワーク３に接続して、ネットワーク３上から取得してもよい。また、定型情報生成部２３は、地図データ等を情報入力部２４から入力することで取得してもよい。
【００３６】
情報入力部２４は、災害関連情報ＤＢ２２に記録する情報及び定型情報生成部２３で用いる情報を入力する。情報入力部２４の具体的な構成は、例えば、災害情報サーバ２を操作する操作者がキーボード等の入力装置を用いて情報を入力する構成である。また、情報入力部２４は、通信部２５と接続することで、通信部２５を介してネットワーク３上から必要な情報を取得する構成としてもよい。また、情報入力部２４は、操作者による入力と、ネットワーク３上から取得することによる入力とを組み合わせた構成であってもよい。通信部２５は、ネットワーク３を介して、アクセスポイント４及びネットワーク３上のサーバ等（図２には示していない）と通信を行う。
【００３７】
ここで、定型情報ＤＢ２１及び災害関連情報ＤＢ２２に記録する情報について、具体例を示し説明する。図３は、定型情報ＤＢ２１及び災害関連情報ＤＢ２２に記録する情報の構成例を示す図である。
【００３８】
図３（Ａ）に示すように、定型情報ＤＢ２１は、定型情報を生成する際の基となった位置情報に対応するアクセスポイント４を識別する情報であるＡＰ情報２１ａに関連付けて、定型情報の生成日時に関する情報である生成日時２１ｂと、生成された定型情報２１ｃとを格納するテーブルを備える。通信部２５は、アクセスポイント４から位置情報を受信した際に、当該アクセスポイント４のＡＰ情報２１ａを取得する。通信部２５は、定型情報ＤＢ２１を参照して、ＡＰ情報２１ａを宛先とするアクセスポイント４へ、ＡＰ情報２１ａに関連付けられた定型情報２１ｃを送信する。
【００３９】
図３（Ａ）の例では、アクセスポイントのＩＰアドレスであるＡＰ情報２１ａ＝ｘｘｘ.ｙｙｙ.ｚｚｚ.ａ１１に関連付けて、生成日時２１ｂ＝２０１ｘ年ｙ月ｚ日１２：０１：０１と、定型情報２１ｃ＝画像データ：Ｆｉｘｄｆｏｒｍ.ｇｉｆ、文字データ：大阪市北区○○付近情報、避難所は○○小学校、…とが格納されている。ここで、画像データである「Ｆｉｘｄｆｏｒｍ.ｇｉｆ」とは、ＧＩＦ形式の画像データのファイル名である。この画像データは、例えば、避難所や病院等の場所を示した地図の画像データである。文字データの「大阪市北区○○付近情報」は、定型情報２１ｃのタイトルとなる情報であり、例えば定型情報２１ｃの対象となる地域を示す情報である。「避難所は○○小学校」は、避難所の名称を示す情報である。
【００４０】
ＡＰ情報２１ａは、アクセスポイント４のＩＰアドレスに限定されるものではない。ＡＰ情報２１ａは、アクセスポイント４へ定型情報２１ｃを送信するために利用可能な情報であればよい。ＡＰ情報２１ａは、例えば、アクセスポイント４のＭＡＣ（Media Access Control address）アドレスであってもよい。定型情報２１ｃが複数あり、個々の定型情報２１ｃを識別する必要がある場合は、災害情報サーバ２は、例えばＡＰ情報２１ａを利用して各定型情報２１ｃを識別することができる。また、災害情報サーバ２は、各定型情報２１ｃに対して識別ＩＤを付与する等の構成により各定型情報２１ｃを識別してもよい。
【００４１】
図３（Ｂ）に示すように、災害関連情報ＤＢ２２は、施設等の位置情報である緯度２２ａ、経度２２ｂに関連付けて、施設等の分野を示す情報である施設分野２２ｃと、施設等の名称を示す情報である名称２２ｄと、施設等の住所を示す情報である住所２２ｅと、施設等の電話番号を示す情報である電話２２ｆとを格納するテーブルを備える。
【００４２】
図３（Ｂ）の例では、緯度２２ａ＝３５．０００００及び経度２２ｂ＝１３５．０００００に関連付けて、施設分野２２ｃ＝公民館と、名称２２ｄ＝○○地区自治会館と、住所２２ｅ＝大阪市北区○○△と、電話２２ｆ＝０６−１２３４−５６ｘｘと、…とが格納されている。
【００４３】
＜＜アクセスポイント４の構成＞＞
アクセスポイント４は、第１無線通信部４１と、第２無線通信部４２と、位置情報格納部４３と、定型情報格納部４４と、定型情報処理部４５と、有線通信部４６とを備える。アクセスポイント４は、平時に通常のアクセスポイントとして動作する通常モードと、災害時にどの利用者の利用者端末６からでもアクセスを受け付けるモードである災害モードとを有する。
【００４４】
第１無線通信部４１は、通常モードにおいて、無線ネットワーク５を介して利用者端末６と無線通信を行う。第１無線通信部４１は、利用者端末６の利用者の認証を行った上で、無線通信するデータを所定の暗号化方式で暗号化している。
【００４５】
第２無線通信部４２は、災害モードにおいて、例えば無線ＬＡＮにおけるアクセスポイント４の識別名であるＳＳＩＤ（Service Set Identifier）として災害用ＳＳＩＤを用いて、利用者の認証を不要とし（例えばオープン認証）、通信の暗号化を行わずに利用者端末６と無線通信を行う。これにより、利用者の認証が不要のため通常モード時のアクセスポイント４と無線通信ができなかった利用者端末６であっても、災害モード時のアクセスポイント４と無線通信を行うことができる。
【００４６】
位置情報格納部４３は、アクセスポイント４が設置されている位置の緯度及び経度に関する情報を含む位置情報を格納する。この位置情報は、アクセスポイント４を設置した際に、例えばアクセスポイント４の管理者によって登録される。定型情報格納部４４は、災害情報サーバ２から受信した定型情報２１ｃであって、当該アクセスポイント４の周辺にある施設等に関する情報である定型情報２１ｃを格納する。
【００４７】
定型情報処理部４５は、第２無線通信部４２、位置情報格納部４３、定型情報格納部４４及び有線通信部４６と接続されている。定型情報処理部４５は、通常モード時に位置情報格納部４３から読み出した位置情報を、有線通信部４６及びネットワーク３を介して災害情報サーバ２へ送信する。これにより、有線通信部４６は、災害情報サーバ２から生成日時２１ｂ及び定型情報２１ｃを受信する。定型情報処理部４５は、有線通信部４６が受信した生成日時２１ｂ及び定型情報２１ｃを受け取り、定型情報格納部４４に格納させる。有線通信部４６は、ネットワーク３を介して災害情報サーバ２及びＩＳＰ７と通信を行う。
【００４８】
ここで、位置情報格納部４３及び定型情報格納部４４に格納する情報について、具体例を示し説明する。図４（Ａ）、図４（Ｂ）は、位置情報格納部４３及び定型情報格納部４４に格納する情報の構成例を示す図である。
【００４９】
図４（Ａ）に示すように、位置情報格納部４３は、アクセスポイント４が設置されている位置の緯度４３ａ及び経度４３ｂと、アクセスポイント４が設置されている場所の住所４３ｃとが格納されたテーブルを有する。図４（Ａ）の例では、緯度４３ａ＝３５．０００００、経度４３ｂ＝１３５．０００００、住所４３ｃ＝大阪市北区○○△が格納されている。
【００５０】
図４（Ｂ）に示すように、定型情報格納部４４は、有線通信部４６が受信した生成日時２１ｂ及び定型情報２１ｃを格納したテーブルを有する。図４（Ｂ）の例では、定型情報格納部４４は、生成日時２１ｂ＝２０１ｘ年ｙ月ｚ日１２：０１：０１と、定型情報２１ｃ＝画像データ：Ｆｉｘｄｆｏｒｍ.ｇｉｆ、文字データ：大阪市北区○○付近情報、避難所は○○小学校、…とを格納している。
【００５１】
定型情報処理部４５は、災害モード時に定型情報格納部４４から読み出した生成日時２１ｂ及び定型情報２１ｃを、第２無線通信部４２を介して利用者端末６へ送信する。定型情報処理部４５は、災害用アプリケーションを起動後の利用者端末６に対して生成日時２１ｂ及び定型情報２１ｃを配信する。
【００５２】
＜＜利用者端末６の構成＞＞
利用者端末６は、通常時用通信部６１と、災害時用通信部６２と、情報処理部６３と、表示部６４と、定型情報保存部６５とを備える。利用者端末６は、通常モードのアクセスポイント４と無線通信を行う通常モードと、災害時に災害用アプリケーションを起動して災害モードのアクセスポイント４と通信を行う災害モードとを有する。利用者端末６は、災害用アプリケーションを起動することで災害モードに移行すると、災害モードのアクセスポイント４と無線通信を行い、生成日時２１ｂ及び定型情報２１ｃを取得し、取得した生成日時２１ｂ及び定型情報２１ｃを表示部６４に表示することができる。
【００５３】
通常時用通信部６１は、通常モードにおいて、無線ネットワーク５を介してアクセスポイント４と無線通信を行う。通常時用通信部６１は、利用者の認証要求をアクセスポイント４へ送信する機能や、アクセスポイント４と無線通信するデータを所定の暗号化方式により暗号化する機能を有する。
【００５４】
災害時用通信部６２は、災害モードにおいて、災害用ＳＳＩＤに基づいて災害モードのアクセスポイント４と通信を行う。災害時用通信部６２は、災害モードのアクセスポイント４と通信する際に通信データの暗号化・復号化を行わない。情報処理部６３は、災害時用通信部６２を介して定型情報２１ｃの要求をアクセスポイント４へ送信する機能を有する。この要求に応じて、災害時用通信部６２は、アクセスポイント４から生成日時２１ｂ及び定型情報２１ｃを受信する。
【００５５】
情報処理部６３は、災害時用通信部６２が受信した生成日時２１ｂ及び定型情報２１ｃを、表示部６４に表示したり、定型情報保存部６５に保存したりする。情報処理部６３は、災害用アプリケーションの機能に応じた処理を行う。表示部６４は、例えば液晶表示デバイスで構成されており、文字や画像を表示する。定型情報保存部６５は、情報処理部６３より受け取った生成日時２１ｂ及び定型情報２１ｃを保存する。
【００５６】
ここで、定型情報保存部６５に保存する情報について、具体例を示し説明する。図４（Ｃ）は、定型情報保存部６５に保存する情報の構成例を示す図である。
【００５７】
図４（Ｃ）に示すように、定型情報保存部６５は、情報処理部６３より受け取った生成日時２１ｂ及び画像データ及び文字データを含む定型情報２１ｃを保存する。図４（Ｃ）の例では、生成日時２１ｂ＝２０１ｘ年ｙ月ｚ日１２：０１：０１と、定型情報２１ｃ＝画像データ：Ｆｉｘｄｆｏｒｍ.ｇｉｆ、文字データ：大阪市北区○○付近情報、避難所は○○小学校、…である。定型情報２１ｃが複数ある場合は、利用者端末６は、例えば文字データのタイトル「大阪市北区○○付近情報」を識別情報として用いる。
【００５８】
＜情報提供システム１の動作＞
情報提供システム１の設置箇所において災害が発生した場合の動作について説明する。
図５は、第１の実施形態の情報提供システム１の動作を示すシーケンス図である。図５に示すように、アクセスポイント４において、アクセスポイント４の管理者は、アクセスポイント４が設置された位置に関する情報である位置情報を登録する（ステップＳ１０１）。これにより、位置情報格納部４３に、アクセスポイント４の設置位置に応じた位置情報が登録される。
【００５９】
アクセスポイント４は、通常モード時に位置情報格納部４３から読み出した位置情報を災害情報サーバ２へ送信する（ステップＳ１０２）。これにより、災害情報サーバ２の通信部２５は、アクセスポイント４から位置情報を受信する。
【００６０】
災害情報サーバ２の定型情報生成部２３は、通信部２５が受信した位置情報に基づいて、災害関連情報ＤＢ２２から位置情報で特定される地域の施設等の情報を参照して、避難所等の位置を地図上に示した画像データと、避難所等の名称及び住所を含む文字データとを合わせた定型情報２１ｃを生成し、ＡＰ情報２１ａに関連付けて定型情報２１ｃを定型情報ＤＢ２１に蓄積する（ステップＳ１０３）。通信部２５は、定型情報ＤＢ２１を参照して、ＡＰ情報２１ａを宛先とするアクセスポイント４へ、ＡＰ情報２１ａに関連付けられた定型情報２１ｃを送信する（ステップＳ１０４）。これにより、アクセスポイント４は、定型情報２１ｃを受信する。
【００６１】
アクセスポイント４は、受信した定型情報２１ｃを定型情報格納部４４に格納する（ステップＳ１０５）。その後、アクセスポイント４及び利用者端末６は、通常モードで無線通信等の動作を行う（ステップＳ１０６）。
【００６２】
ここで、アクセスポイント４及び利用者端末６が、通常モードでの動作中に災害が発生したとする。アクセスポイント４は、災害情報サーバ２と通信できるか否かを確認する（ステップＳ１０７）。このステップＳ１０７における通信の確認は、災害の影響によりネットワーク３の通信ケーブルが断線した等の原因により、アクセスポイント４と災害情報サーバ２との通信が切れてしまったか否かを確認する処理である。この有線通信部４６における災害情報サーバ２との通信の確認は、任意のタイミングで行ってもよく、定期的に行っても良い。
【００６３】
ここで災害情報サーバ２と通信できることを確認した場合（ステップＳ１０８のＯＫ）には、ステップＳ１０６に戻り、アクセスポイント４は、通常モードでの無線通信を継続する。また、災害情報サーバ２と通信できないことを確認した場合（ステップＳ１０８のＮＧ）には、アクセスポイント４は、利用者端末６から災害モードでのアクセスの有無を判定する（ステップＳ１０９）。具体的には、アクセスポイント４は、利用者端末６から災害用ＳＳＩＤを用いた帰属要求の有無により、災害モードでのアクセスの有無を判定する。
【００６４】
また、アクセスポイント４におけるステップＳ１０７〜Ｓ１０９と並行して、利用者端末６においてもステップＳ１１０、Ｓ１１１の動作が行われる。災害の影響でアクセスポイント４とネットワーク３との接続が切れてしまうと、利用者端末６は、ネットワーク３に接続できなくなる。すなわち、利用者端末６は、インターネット経由でＩＳＰ７が提供する様々なサービスを利用できなくなる。このような場合に、利用者は利用者端末６において、災害用アプリケーションを起動する。これにより、利用者端末６は災害モードとなり、災害時用通信部６２が災害用ＳＳＩＤを用いてアクセスポイント４へのアクセスを開始する（ステップＳ１１０）。利用者端末６の情報処理部６３は、災害時用通信部６２を介して災害用ＳＳＩＤを用いた帰属要求と合わせて定型情報２１ｃの要求をアクセスポイント４へ送信する（ステップＳ１１１）。
【００６５】
利用者端末６から災害モードでのアクセス無しと判定した場合（ステップＳ１０９のＮＯ）には、ステップＳ１０６に戻り、アクセスポイント４は、通常モードでの無線通信を継続する。利用者端末６から災害モードでのアクセス有りと判定した場合（ステップＳ１０９のＹＥＳ）には、アクセスポイント４は、災害モードに移行する（ステップＳ１１２）。以上に示したように、アクセスポイント４は、災害等が発生した影響により災害情報サーバ２との通信が切れて、かつ、利用者端末６から災害モードによるアクセスを受けるまでは通常モードの動作を継続する。このような構成とすることで、災害の影響以外の理由により、一時的に災害情報サーバ２との通信が切れた場合に、アクセスポイント４が誤って災害モードに移行することを防ぐことができる。
【００６６】
アクセスポイント４において災害モードに切替えた後に、利用者端末６の情報処理部６３は、災害時用通信部６２を介して災害用ＳＳＩＤを用いた帰属要求と合わせて定型情報２１ｃの要求をアクセスポイント４へ送信する（ステップＳ１１３）。アクセスポイント４は、利用者端末６の災害用ＳＳＩＤを用いた帰属を許可する（ステップＳ１１４）。これにより、アクセスポイント４と利用者端末６との間で災害モードによる無線通信を行うことが可能となる。
【００６７】
アクセスポイント４は、利用者端末６からの定型情報２１ｃの要求に応じて、生成日時２１ｂ及び定型情報２１ｃを利用者端末６へ送信する（ステップＳ１１５）。これにより、利用者端末６の災害時用通信部６２は、生成日時２１ｂ及び定型情報２１ｃを受信する。利用者端末６の情報処理部６３は、災害時用通信部６２が受信した生成日時２１ｂ及び定型情報２１ｃを表示部６４に表示する（ステップＳ１１６）。利用者端末６の情報処理部６３は、災害時用通信部６２が受信した生成日時２１ｂ及び定型情報２１ｃを定型情報保存部６５に保存する（ステップＳ１１７）。以上の処理により、利用者は、表示部６４に表示された生成日時２１ｂ及び定型情報２１ｃを確認して、災害に適切に対応した行動、例えば、適切な避難行動をとることができる。
【００６８】
災害の影響によるネットワーク３の通信ケーブルの断線箇所を修復する等によりネットワーク３を復旧している場合の、アクセスポイント４の動作について説明する。アクセスポイント４は、災害情報サーバ２と通信できるか否かを確認する（ステップＳ１１８）。ここで災害情報サーバ２と通信できることを確認した場合（ステップＳ１１９のＯＫ）には、ステップＳ１０６に戻り、アクセスポイント４は、通常モードに移行する。また、災害情報サーバ２と通信できないことを確認した場合（ステップＳ１１９のＮＧ）には、アクセスポイント４は、災害モードを継続する。
【００６９】
次に、図５に示す情報提供システム１の動作におけるアクセスポイント４の処理の詳細について説明する。
図６は、第１の実施形態のアクセスポイント４の処理の詳細を示すフロー図である。図６に示すように、アクセスポイント４の管理者は、アクセスポイント４が設置された位置に関する情報である位置情報（緯度、経度）を登録する（ステップＳ２０１）。これにより、位置情報格納部４３は、アクセスポイント４が設置されている位置の緯度及び経度に関する情報を含む位置情報を格納する。
【００７０】
定型情報処理部４５は、位置情報格納部４３から読み出した位置情報を、有線通信部４６及びネットワーク３を介して災害情報サーバ２へ送信する（ステップＳ２０２）。これにより、災害情報サーバ２は、位置情報を受信し、受信した位置情報に基づいて、定型情報２１ｃを生成しアクセスポイント４へ送信する。有線通信部４６は、災害情報サーバ２から定型情報２１ｃを受信し、定型情報処理部４５は、受信した定型情報２１ｃを定型情報格納部４４に格納する（ステップＳ２０３）。その後、アクセスポイント４は、通常モードの動作を継続する。
【００７１】
ここで、アクセスポイント４が通常モードでの動作中に災害が発生したとする。アクセスポイント４の有線通信部４６は、災害情報サーバ２と通信できるか否かを確認する（ステップＳ２０４）。ここで災害情報サーバ２と通信できることを確認した場合（ステップＳ２０４のＯＫ）には、アクセスポイント４は、通常モードでの無線通信を継続する。また、災害情報サーバ２と通信できないことを確認した場合（ステップＳ２０４のＮＧ）には、アクセスポイント４は、利用者端末６から災害用ＳＳＩＤを用いた帰属の要求の有無を判定する（ステップＳ２０５）。
【００７２】
利用者端末６から災害用ＳＳＩＤを用いた帰属の要求が無いと判定した場合（ステップＳ２０５のＮＯ）には、アクセスポイント４は、通常モードでの無線通信を継続する。利用者端末６から災害用ＳＳＩＤを用いた帰属の要求が有ると判定した場合（ステップＳ２０５のＹＥＳ）には、アクセスポイント４は、動作モードを災害モードに切替える（ステップＳ２０６）。そして、第２無線通信部４２が、利用者端末６の災害用ＳＳＩＤを用いた帰属を許可すると、アクセスポイント４と利用者端末６との間で災害モードによる無線通信を行うことが可能となる。
【００７３】
利用者端末６からの定型情報２１ｃの要求に応じて、定型情報処理部４５は、定型情報格納部４４から読み出した生成日時２１ｂ及び定型情報２１ｃを、第２無線通信部４２を介して利用者端末６へ配信する（ステップＳ２０７）。これにより、利用者端末６は、生成日時２１ｂ及び定型情報２１ｃを受信し、受信した生成日時２１ｂ及び定型情報２１ｃを表示部６４に表示することができる。なお、表示部６４に表示するのは、定型情報２１ｃのみであってもよい。
【００７４】
アクセスポイント４の有線通信部４６は、災害情報サーバ２と通信できるか否かを確認する（ステップＳ２０８）。ここで災害情報サーバ２と通信できることを確認した場合（ステップＳ２０８のＯＫ）には、アクセスポイント４は、通常モードに移行する（ステップＳ２０９）。また、災害情報サーバ２と通信できないことを確認した場合（ステップＳ２０８のＮＧ）には、アクセスポイント４は、災害モードを継続する（ステップＳ２１０）。
【００７５】
以上に説明したとおり、第１の実施形態の情報提供システム１によれば、災害の影響により、被災エリアにおけるネットワーク３の機能が停止した場合に、ネットワーク３を利用することなくアクセスポイント４から現在地付近に関する定型情報２１ｃを利用者端末６へ提供することができる。これにより、利用者は、利用者端末６を使って被災エリアの情報を収集することができる。また、アクセスポイント４は、災害モード時に利用者端末６に対するアクセス制限を行わないので、より多くの利用者端末６に対して定型情報２１ｃを提供することができる。また、利用者は、利用者端末６に災害用アプリケーションをインストールして、災害時に起動することで、通常は接続できないアクセスポイント４であっても接続することができる。
【００７６】
＜第２の実施形態＞
利用者端末がネットワークに接続できない原因は、災害等に限定されるものではない。例えば、イベント会場やテーマパーク等の沢山の利用者が集まる場合においても、通信負荷の増大により輻輳がおこり利用者端末はネットワークに接続できない状態となる。また、輻輳によって利用者端末がネットワークに接続しにくい状態又はネットワークの通信品質が大きく低下した状態（以下、ネットワークに接続できない状態に準ずる状態という）になることもある。このような場合に、利用者端末に対して、利用者の必要とする情報を提供する第２の実施形態における情報提供システムについて説明する。
【００７７】
図７は、第２の実施形態における定型情報サーバと、アクセスポイントとを備える情報提供システムの構成例を示すブロック図である。図７に示すように、第２の実施形態の情報提供システム１Ａは、定型情報サーバ２Ａと、アクセスポイント４Ａ−１、４Ａ−２、４Ａ−３、…（以下、アクセスポイント４Ａとする。）とを備える。なお、図７において、図１と同じ符号を付与しているものは、同じ構成のものであるので説明を省略する。
【００７８】
定型情報サーバ２Ａは、ネットワーク３を介してアクセスポイント４Ａと通信可能であり、アクセスポイント４Ａの周囲にいる利用者の必要とする情報を含む定型情報を、アクセスポイント４Ａを特定する情報に関連付けて格納する定型情報ＤＢ（データベース）２６を備える。アクセスポイント４Ａは、例えばＷｉ−Ｆｉ（登録商標）サービス等の無線ＬＡＮサービスを、利用者端末６Ａ−１、６Ａ−２、６Ａ−３、６Ａ−４、６Ａ−５、…（以下、利用者端末６Ａとする。）に対して提供する。アクセスポイント４Ａは、無線ネットワーク５を介して利用者端末６Ａと無線通信を行う。
【００７９】
利用者端末６Ａは、無線ネットワーク５を介してアクセスポイント４Ａと無線通信可能な無線通信端末であって、例えば、Ｗｉ−Ｆｉ（登録商標）通信機能を備えた携帯電話である。定型情報サーバ２Ａは、アクセスポイント４Ａに対してアクセスポイント４Ａと通信可能な距離にいる利用者端末６Ａの利用者の必要とする情報を含む定型情報を提供する機能を有する。定型情報サーバ２Ａは、アクセスポイント４Ａを特定する情報と、アクセスポイント４Ａの所有者等が入力した定型情報を取得して、定型情報ＤＢ２６に記録する。
【００８０】
利用者の必要とする情報は、利用者自身が必要と考える情報の他に、アクセスポイント４Ａを管理する管理者や、アクセスポイント４Ａの所有者が、アクセスポイント４Ａの利用者に必要と判断した情報及びアクセスポイント４Ａの利用者に提供したい情報等も含まれる。
【００８１】
利用者の必要とする情報の具体例をいくつか説明する。イベント会場において、イベント会場及びその周辺に設置されたアクセスポイント４Ａは、イベント終了時に、帰りの交通機関に関する情報を定型情報として利用者端末６Ａに配信する。テーマパークにおいて、テーマパークに設置されたアクセスポイント４Ａは、テーマパーク内でのイベント開催前又は開催中に、イベントに関する情報を定型情報として利用者端末６Ａに配信する。このように、イベントやテーマパーク等の人が沢山集まった状態において、多くの利用者端末６Ａから一斉にネットワーク３へのアクセスが集中し、かつ、多くの利用者端末６Ａにおいて利用所の必要とする情報が同じ内容である場合に、その内容を含む定型情報をアクセスポイント４Ａから提供する。
【００８２】
アクセスポイント４Ａは、利用者端末６Ａに対して無線ＬＡＮサービスを提供するために、例えばイベント会場、テーマパーク、店舗、公用施設等に設置されている。アクセスポイント４Ａは、自身の緯度経度に関する情報を含む位置情報を定型情報サーバ２Ａに送信する機能と、定型情報サーバ２Ａから定型情報を受信して保持する機能とを有する。
【００８３】
アクセスポイント４Ａは、どの利用者の利用者端末６Ａからでもアクセスを受け付けるモードである定型モードに移行する機能と、定型モードに移行した場合に、保持している定型情報をアクセスしてきた利用者端末６Ａに対して提供する機能とを有する。アクセスポイント４Ａは、ネットワーク３を介した通信におけるスループット（単位時間あたりのデータ転送量）やフレームロス率を監視して、利用者端末６Ａがネットワーク３に接続できない状態又は利用者端末６Ａがネットワーク３に接続できない状態に準ずる状態であるか否かを判断する機能を有する。
【００８４】
無線ネットワーク５は、アクセスポイント４Ａが提供する無線ＬＡＮサービスにより実現されるネットワークである。利用者端末６Ａは、定型モードに移行したアクセスポイント４Ａから定型情報を取得して表示部に表示する定型用アプリケーションを実装している。利用者の必要とする情報である定型情報は、定型モード中のアクセスポイント４Ａから定型用アプリケーションを起動中の利用者端末６Ａに対して提供される情報である。
【００８５】
図７に示すアクセスポイント４Ａ、無線ネットワーク５、利用者端末６Ａの各々の個数や接続状態は一例を示すものである。アクセスポイント４Ａ−１は、無線ネットワーク５−１を介して利用者端末６Ａ−１、６Ａ−２と無線通信を行う。アクセスポイント４Ａ−２は、無線ネットワーク５−２を介して利用者端末６Ａ−３、６Ａ−４と無線通信を行う。アクセスポイント４Ａ−３は、無線ネットワーク５−３を介して利用者端末６Ａ−５と無線通信を行う。定型モードのアクセスポイント４Ａ−１は、定型用アプリケーションを起動した利用者端末６Ａ−１、６Ａ−２に定型情報を提供し、定型モードのアクセスポイント４Ａ−２は、定型用アプリケーションを起動した利用者端末６Ａ−３、６Ａ−４に定型情報を提供し、定型モードのアクセスポイント４Ａ−３は、定型用アプリケーションを起動した利用者端末６Ａ−５に定型情報を提供する。
【００８６】
＜定型情報サーバ２Ａ、アクセスポイント４Ａ及び利用者端末６Ａの構成＞
次に、第２の実施形態の情報提供システム１Ａが備える定型情報サーバ２Ａ及びアクセスポイント４Ａの構成例と、利用者端末６Ａの構成例とについて説明する。
図８は、第２の実施形態の定型情報サーバ２Ａ、アクセスポイント４Ａ及び利用者端末６Ａの構成例を示す図である。なお、図８において、図２と同じ符号を付与しているものは、同じ構成のものであるので説明を省略する。
【００８７】
＜＜定型情報サーバ２Ａの構成＞＞
図８に示すように、定型情報サーバ２Ａは、定型情報ＤＢ２６と、定型関連情報ＤＢ２７と、定型情報取得部２８と、情報入力部２４と、通信部２５とを備える。定型情報ＤＢ２６は、上述したとおり、アクセスポイント４Ａの周囲にいる利用者の必要とする情報を含む定型情報を、アクセスポイント４Ａを特定する情報に関連付けて記録する。定型関連情報ＤＢ２７は、定型情報を作成するための素材となる情報として、イベント会場周辺の公共交通機関に関する情報、テーマパークのイベントに関する情報等を、それらの情報を提供する提供者を特定する情報である提供者情報に関連付けて記録する。提供者情報としては、例えば、イベント会場やテーマパークを特定する情報を用いる。イベント会場やテーマパークを特定する情報は、イベント会場やテーマパークの位置情報、イベント会場やテーマパークを特定する名称又はイベント会場やテーマパークを特定するために付与した識別情報等を用いる。
【００８８】
定型情報取得部２８は、情報入力部２４から入力されるイベント会場周辺の公共交通機関に関する情報又はテーマパークにおけるイベント情報を取得する。定型情報取得部２８は、定型関連情報ＤＢ２７からイベント会場周辺に関する公共交通機関に関する情報やテーマパークにおけるイベント情報を取得してもよい。定型情報取得部２８は、取得した情報の一部又は全部を利用して、定型情報を生成する機能を有する。
【００８９】
定型情報取得部２８は、イベント情報を定型情報として取得する場合には、イベントの開催場所に関する情報を地図上に示した画像データと、イベント名、開催場所、開催時刻、…を含む文字データとを合わせた定型情報を生成する。定型情報取得部２８は、公共交通機関に関する情報を定型情報として生成する場合には、公共交通機関に関する情報を地図上に示した画像データと、公共交通機関に関する名称等を含む文字データとを合わせた定型情報を生成する。定型情報取得部２８は、取得した定型情報を定型情報ＤＢ２６に記録させる。通信部２５は、定型情報取得部２８が取得した定型情報をアクセスポイント４Ａへ送信する。
【００９０】
なお、第２の実施形態の定型情報取得部２８は、画像データと文字データの両方を含む定型情報を生成する構成であるが、この限りではない。定型情報取得部２８は、画像データのみを含む定型情報を生成する構成であってもよく、文字データのみを含む定型情報を生成する構成であってもよい。画像データは、例えば、イベントを知らせるポスターの画像データのように、画像と文字とを含むものでもよい。また、定型情報取得部２８は、定型関連情報ＤＢ２７に記録されていない情報であって、定型情報の生成に必要な情報（例えば、地図の画像データ等）を、通信部２５を介してネットワーク３上から取得してもよい。
【００９１】
情報入力部２４は、定型関連情報ＤＢ２７に記録する情報及び定型情報取得部２８が取得する定型情報を入力する。情報入力部２４の具体的な構成は、例えば、定型情報サーバ２Ａを操作する操作者がキーボード等の入力装置を用いて情報を入力する構成である。また、情報入力部２４は、通信部２５と接続することで、通信部２５を介してネットワーク３上から必要な情報を取得する構成としてもよい。また、情報入力部２４は、操作者による入力と、ネットワーク３上から取得することによる入力とを組み合わせた構成であってもよい。通信部２５は、ネットワーク３を介して、アクセスポイント４Ａ及びネットワーク３上のサーバ等（図８には示していない）と通信を行う。
【００９２】
ここで、定型情報ＤＢ２６及び定型関連情報ＤＢ２７に記録する情報について、具体例を示し説明する。図９は、定型情報ＤＢ２６及び定型関連情報ＤＢ２７に記録する情報の構成例を示す図である。
【００９３】
図９（Ａ）に示すように、定型情報ＤＢ２６は、配信先のアクセスポイント４Ａを識別する情報であるＡＰ情報２６ａに関連付けて、定型情報を取得した日時に関する情報である取得日時２６ｂと、画像データ及び文字データから構成される定型情報２６ｃとを格納するテーブルを備える。通信部２５は、アクセスポイント４Ａから位置情報を受信した際に、当該アクセスポイント４ＡのＡＰ情報２６ａを取得する。通信部２５は、定型情報ＤＢ２６を参照して、ＡＰ情報２６ａを宛先とするアクセスポイント４Ａへ、ＡＰ情報２６ａに関連付けられた定型情報２６ｃを送信する。
【００９４】
アクセスポイント４Ａからの位置情報とは、アクセスポイント４Ａが設置されている場所を特定する情報であり、アクセスポイント４Ａが設置されている場所の緯度、経度の情報、アクセスポイント４Ａが設置されている建物の住所の情報、アクセスポイント４Ａが設置されているテーマパークの名称又はアクセスポイント４Ａが設置されているイベント会場の名称等がある。
【００９５】
図９（Ａ）の例では、アクセスポイント４ＡのＩＰアドレスであるＡＰ情報２６ａ＝ｘｘｘ.ｙｙｙ.ｚｚｚ.ａ１２に関連付けて、取得日時２６ｂ＝２０１ｘ年ｙ月ｚ日１２：０１：０１と、定型情報２６ｃ＝画像データ：Ｏｓｉｒａｓｅ.ｇｉｆ、文字データ：イベント名、開催場所、開催時刻、…とが格納されている。ここで、画像データである「Ｏｓｉｒａｓｅ.ｇｉｆ」とは、ＧＩＦ形式の画像データのファイル名である。文字データの「イベント名、開催場所、開催時刻、…」は、テーマパーク内で開催されるイベントに関する文字情報である。
【００９６】
ＡＰ情報２６ａは、アクセスポイント４ＡのＩＰアドレスに限定されるものではない。ＡＰ情報２６ａは、アクセスポイント４Ａへ定型情報２６ｃを送信するために利用可能な情報であればよい。ＡＰ情報２６ａは、例えば、アクセスポイント４ＡのＭＡＣアドレスであってもよい。定型情報２６ｃが複数あり、個々の定型情報２６ｃを識別する必要がある場合は、定型情報サーバ２Ａは、例えばＡＰ情報２６ａを利用して識別することができる。また、定型情報サーバ２Ａは、各定型情報２６ｃに対してイベント識別子を付与する構成により各定型情報２６ｃを識別してもよい。
【００９７】
図９（Ｂ）に示すように、定型関連情報ＤＢ２７は、定型情報を提供する提供者を特定する提供者情報２７ａに関連付けて、定型情報を識別する情報である定型識別情報２７ｂと、定型情報の画像データとして利用する定型画像情報２７ｃと、定型情報の文字データとして利用する定型文字情報２７ｄと、定型識別情報２７ｂで特定される定型情報を配信する対象となるアクセスポイント４Ａを特定する情報である対応ＡＰ情報２７ｅとを格納するテーブルを備える。
【００９８】
図９（Ｂ）の例では、提供者情報２７ａ＝○○テーマパーク関連付けて、定型識別情報２７ｂ＝イベントＡと、定型画像情報２７ｃ＝Ｏｓｉｒａｓｅ.ｇｉｆ、定型文字情報２７ｄ＝イベント名、開催場所、開催時刻、…と、定型情報を配信する対象となるアクセスポイント４ＡのＩＰアドレスである対応ＡＰ情報２７ｅ＝ｘｘｘ.ｙｙｙ.ｚｚｚ.ａ１２、ｘｘｘ.ｙｙｙ.ｚｚｚ.ａ１３、ｘｘｘ.ｙｙｙ.ｚｚｚ.ａ１４、…とが格納されている。提供者情報２７ａは、アクセスポイント４Ａの設置場所が○○テーマパーク内であることを示す位置情報として、定型情報サーバ２Ａがアクセスポイント４Ａから受信する情報である。
【００９９】
＜＜アクセスポイント４Ａの構成＞＞
アクセスポイント４Ａは、第１無線通信部４１と、第２無線通信部４２と、定型情報格納部４７と、定型情報処理部４８と、有線通信部４６と、制御部４９とを備える。アクセスポイント４Ａは、通常のアクセスポイントとして動作する通常モードと、どの利用者の利用者端末６Ａからでもアクセスを受け付けるモードである定型モードとを有する。
【０１００】
第１無線通信部４１は、通常モードにおいて、無線ネットワーク５を介して利用者端末６Ａと無線通信を行う。第１無線通信部４１は、利用者端末６Ａの利用者の認証を行った上で、無線通信するデータを所定の暗号化方式で暗号化している。
【０１０１】
第２無線通信部４２は、定型モードにおいて、例えば無線ＬＡＮにおけるアクセスポイント４Ａの識別名であるＳＳＩＤ（Service Set Identifier）として定型用ＳＳＩＤを用いて、利用者の認証を不要とし（例えばオープン認証）、通信の暗号化も行わずに利用者端末６Ａと無線通信を行う。これにより、利用者の認証が不要のため通常モード時のアクセスポイント４Ａと無線通信ができなかった利用者端末６Ａであっても、定型モード時のアクセスポイント４Ａと無線通信を行うことができる。定型情報格納部４７は、定型情報サーバ２Ａから受信した定型情報２６ｃを格納する。
【０１０２】
定型情報処理部４８は、第２無線通信部４２、有線通信部４６、定型情報格納部４７及び制御部４９と接続されている。定型情報処理部４８は、通常モード時にアクセスポイント４Ａが設置されている場所を特定する情報である位置情報を、有線通信部４６及びネットワーク３を介して定型情報サーバ２Ａへ送信する。定型情報処理部４８は、有線通信部４６を介して、定型情報サーバ２Ａから取得日時２６ｂ及び定型情報２６ｃを受信する。定型情報処理部４８は、受信した取得日時２６ｂ及び定型情報２６ｃを定型情報格納部４７に格納させる。有線通信部４６は、ネットワーク３を介して定型情報サーバ２Ａ及びＩＳＰ７と通信を行う。定型情報格納部４７は、有線通信部４６が受信した取得日時２６ｂ及び定型情報２６ｃを格納したテーブルを有する。
【０１０３】
定型情報処理部４８は、定型モード時に定型情報格納部４７から読み出した定型情報２６ｃを、第２無線通信部４２を介して利用者端末６Ａへ送信する。定型情報処理部４８は、定型用アプリケーションを起動後の利用者端末６Ａに対して定型情報２６ｃを配信する。制御部４９は、アクセスポイント４Ａの動作モードの制御及びアクセスポイント４Ａ内の各部の制御を行う。
【０１０４】
制御部４９は、有線通信部４６におけるスループット（単位時間あたりのデータ転送量）やフレームロス率を監視して、輻輳により利用者端末６Ａがネットワーク３に接続できない状態又は利用者端末６Ａがネットワーク３に接続できない状態に準ずる状態であるか否かを判断する。具体的には、制御部４９は、有線通信部４６におけるスループットが所定の閾値よりも低い場合や、有線通信部４６におけるフレームロス率が所定の閾値よりも高い場合に、輻輳が発生したと判断する。
【０１０５】
制御部４９は、輻輳により利用者端末６Ａがネットワーク３に接続できない状態又は利用者端末６Ａがネットワーク３に接続できない状態に準ずる状態であると判断した場合は、アクセスポイント４Ａの動作モードを定型モードに移行させる。制御部４９は、アクセスポイント４ＡのＩＰアドレスであるＡＰ情報２６ａ及びアクセスポイント４Ａの設置場所が○○テーマパーク内であることを示す位置情報である提供者情報２７ａを保持する機能と、有線通信部４６を介して保持しているＡＰ情報２６ａ及び提供者情報２７ａを定型情報サーバ２Ａへ送信する機能とを有する。
【０１０６】
＜＜利用者端末６Ａの構成＞＞
利用者端末６Ａは、通常時用通信部６１と、表示部６４と、定型情報用通信部６６と、情報処理部６７と、定型情報保存部６８とを備える。利用者端末６Ａは、通常モードのアクセスポイント４Ａと無線通信を行う通常モードと、定型時に定型用アプリケーションを起動して定型モードのアクセスポイント４Ａと通信を行う定型モードとを有する。利用者端末６Ａは、定型用アプリケーションを起動することで定型モードに移行すると、定型モードのアクセスポイント４Ａと無線通信を行い、定型情報２６ｃを取得し、取得した定型情報２６ｃを表示部６４に表示することができる。
【０１０７】
通常時用通信部６１は、通常モードにおいて、無線ネットワーク５を介してアクセスポイント４Ａと無線通信を行う。通常時用通信部６１は、利用者の認証要求をアクセスポイント４Ａへ送信する機能や、アクセスポイント４Ａと無線通信するデータを所定の暗号化方式により暗号化する機能を有する。
【０１０８】
定型情報用通信部６６は、定型モードにおいて、定型用ＳＳＩＤに基づいて定型モードのアクセスポイント４Ａと通信を行う。定型情報用通信部６６は、定型モードのアクセスポイント４Ａと通信する際に通信データの暗号化・復号化を行わない。情報処理部６７は、定型情報用通信部６６を介して定型情報２６ｃの要求をアクセスポイント４Ａへ送信する機能を有する。この要求に応じて、定型情報用通信部６６は、アクセスポイント４Ａから定型情報２６ｃを受信する。
【０１０９】
情報処理部６７は、定型情報用通信部６６が受信した定型情報２６ｃを、表示部６４に表示したり、定型情報保存部６８に保存したりする。情報処理部６７は、定型用アプリケーションの機能に応じた処理を行う。定型情報保存部６８は、情報処理部６７より受け取った画像データ及び文字データを含む定型情報２６ｃを保存する。
【０１１０】
なお、アクセスポイント４Ａの制御部４９が、通信の輻輳がおこり利用者端末６Ａがネットワーク３に接続できない状態又は利用者端末６Ａがネットワーク３に接続できない状態に準ずる状態と判断した場合に、アクセスポイント４Ａは、定型モードに移行する構成としたが、この限りではない。通信の輻輳がおこり利用者端末６Ａがネットワーク３に接続できない状態又は利用者端末６Ａがネットワーク３に接続できない状態に準ずる状態となることが予想される場合に、アクセスポイント４Ａの管理者等が、アクセスポイント４Ａの動作モードを手動で定型モードに移行させる構成としてもよい。
【０１１１】
具体例を示すと、アーティストＡのコンサート会場において、アーティストＡの特典映像を定型情報として、無線ネットワーク５経由でコンサート会場にいる利用者の利用者端末６Ａに配信する場合である。このような場合には、手動でコンサート会場内のアクセスポイント４Ａを定型モードに移行させて、コンサート会場にて「特典映像を配信中ですので定型用アプリケーションを起動して特典映像を取得してください。」とアナウンスする。これにより、アナウンス後に沢山の利用者端末６Ａから大量のアクセスがネットワーク３に集中することを防ぐことができる。
【０１１２】
＜情報提供システム１Ａの動作＞
情報提供システム１Ａのアクセスポイント４Ａにおいて、ネットワーク３を介した通信の輻輳が起こり、利用者端末６Ａがネットワーク３に接続できない状態となった場合の動作について説明する。
図１０は、第２の実施形態の情報提供システム１Ａの動作を示すシーケンス図である。図１０に示すように、アクセスポイント４Ａは、アクセスポイント４Ａが設置された位置に関する情報である位置情報として提供者情報２７ａを取得する（ステップＳ３０１）。具体的には、アクセスポイント４Ａの管理者等がアクセスポイント４Ａを設置時に手動で入力した提供者情報２７ａを、図８には示していないメモリ等に保持しておき、アクセスポイント４Ａは、そのメモリ等を参照することで提供者情報２７ａを取得する。
【０１１３】
アクセスポイント４Ａは、定型情報サーバ２Ａに対して、アクセスポイント４ＡのＩＰアドレスであるＡＰ情報２６ａ及びステップＳ３０１で取得した提供者情報２７ａを送信する（ステップＳ３０２）。これにより、定型情報サーバ２Ａの通信部２５は、アクセスポイント４ＡからＡＰ情報２６ａ及び提供者情報２７ａを受信する。
【０１１４】
定型情報サーバ２Ａの定型情報取得部２８は、定型関連情報ＤＢ２７から定型画像情報２７ｃ及び定型文字情報２７ｄを参照して、画像データと文字データとを合わせた定型情報２６ｃを生成し、ＡＰ情報２６ａに関連付けて定型情報２６ｃを定型情報ＤＢ２６に蓄積する（ステップＳ３０３）。通信部２５は、定型情報ＤＢ２６を参照して、ＡＰ情報２６ａを宛先とするアクセスポイント４Ａへ、ＡＰ情報２６ａに関連付けられた定型情報２６ｃを送信する（ステップＳ３０４）。これにより、アクセスポイント４Ａは、定型情報２６ｃを受信する。
【０１１５】
アクセスポイント４Ａは、受信した定型情報２６ｃを定型情報格納部４７に格納する（ステップＳ３０５）。その後、アクセスポイント４Ａ及び利用者端末６Ａは、通常モードで無線通信等の動作を行う（ステップＳ３０６）。
【０１１６】
ここで、ネットワーク３を介した通信の輻輳が発生し、利用者端末６Ａがネットワーク３に接続できない状態になったとする。アクセスポイント４Ａは、定型情報サーバ２Ａと通信できるか否かを確認する（ステップＳ３０７）。このステップＳ３０７における通信の確認は、通信の輻輳が発生したことにより、アクセスポイント４Ａと定型情報サーバ２Ａとの通信の接続ができない状態又は通信の接続ができない状態に準ずる状態であるかを確認する処理である。この有線通信部４６における定型情報サーバ２Ａとの通信の確認は、任意のタイミングで行ってもよく、定期的に行っても良い。
【０１１７】
ここで定型情報サーバ２Ａと通信できることを確認した場合（ステップＳ３０８のＯＫ）には、ステップＳ３０６に戻り、アクセスポイント４Ａは、通常モードでの無線通信を継続する。また、定型情報サーバ２Ａと通信できないことを確認した場合（ステップＳ３０８のＮＧ）には、アクセスポイント４Ａは、利用者端末６Ａから定型モードでのアクセスの有無を判定する（ステップＳ３０９）。具体的には、アクセスポイント４Ａは、利用者端末６Ａから定型用ＳＳＩＤを用いた帰属要求の有無により、定型モードでのアクセスの有無を判定する。
【０１１８】
また、アクセスポイント４ＡにおけるステップＳ３０７〜Ｓ３０９と並行して、利用者端末６ＡにおいてもステップＳ３１０、Ｓ３１１の動作が行われる。アクセスポイント４Ａとネットワーク３との接続が切れてしまうと、利用者端末６Ａは、ネットワーク３に接続できなくなる。すなわち、利用者端末６Ａは、インターネット経由でＩＳＰ７が提供する様々なサービスを利用できなくなる。このような場合に、利用者は利用者端末６Ａにおいて、定型用アプリケーションを起動する。これにより、利用者端末６Ａは定型モードとなり、定型情報用通信部６６が定型用ＳＳＩＤを用いてアクセスポイント４Ａへのアクセスを開始する（ステップＳ３１０）。利用者端末６Ａの情報処理部６７は、定型情報用通信部６６を介して定型用ＳＳＩＤを用いた帰属要求と合わせて定型情報２６ｃの要求をアクセスポイント４Ａへ送信する（ステップＳ３１１）。
【０１１９】
利用者端末６Ａから定型モードでのアクセス無しと判定した場合（ステップＳ３０９のＮＯ）には、ステップＳ３０６に戻り、アクセスポイント４Ａは、通常モードでの無線通信を継続する。利用者端末６Ａから定型モードでのアクセス有りと判定した場合（ステップＳ３０９のＹＥＳ）には、アクセスポイント４Ａは、定型モードに移行する（ステップＳ３１２）。
【０１２０】
以上に示したように、アクセスポイント４Ａは、定型情報サーバ２Ａとの通信が切れて、かつ、利用者端末６Ａから定型モードによるアクセスを受けるまでは通常モードの動作を継続する。このような構成とすることで、一時的に定型情報サーバ２Ａとの通信が切れた場合に、アクセスポイント４Ａが誤って定型モードに移行することを防ぐことができる。
【０１２１】
アクセスポイント４Ａにおいて定型モードに切替えた後に、利用者端末６Ａの情報処理部６７は、定型情報用通信部６６を介して定型用ＳＳＩＤを用いた帰属要求と合わせて定型情報２６ｃの要求をアクセスポイント４Ａへ送信する（ステップＳ３１３）。アクセスポイント４Ａは、利用者端末６Ａの定型用ＳＳＩＤを用いた帰属を許可する（ステップＳ３１４）。これにより、アクセスポイント４Ａと利用者端末６Ａとの間で定型モードによる無線通信を行うことが可能となる。
【０１２２】
アクセスポイント４Ａは、利用者端末６Ａからの定型情報２６ｃの要求に応じて、定型情報２６ｃを利用者端末６Ａへ送信する（ステップＳ３１５）。これにより、利用者端末６Ａの定型情報用通信部６６は、定型情報２６ｃを受信する。利用者端末６Ａの情報処理部６７は、定型情報用通信部６６が受信した定型情報２６ｃを表示部６４に表示する（ステップＳ３１６）。利用者端末６Ａの情報処理部６７は、定型情報用通信部６６が受信した定型情報２６ｃを定型情報保存部６８に保存する（ステップＳ３１７）。
【０１２３】
以上の処理により、利用者は、取得したイベント等に関する情報である定型情報２６ｃを表示部６４に表示させてその内容を確認することができる。また、多くの利用者端末６Ａが一斉に定型情報２６ｃを要求したとしても、アクセスポイント４Ａは、ネットワーク３を介した通信を輻輳させることなく、利用者端末６Ａに対して定型情報２６ｃを提供することができる。
【０１２４】
通常モードの利用者端末６Ａとの通信による負荷が減少し、アクセスポイント４Ａにおいて、ネットワーク３を介した通信が復旧している場合のアクセスポイント４Ａの動作について説明する。アクセスポイント４Ａは、定型情報サーバ２Ａと通信できるか否かを確認する（ステップＳ３１８）。なお、定型情報サーバ２Ａと通信できるようになったことを確認する方法としては、ステップＳ３０７と同様の確認方法を用いても良いが、ステップＳ３０７よりも閾値を厳しく（スループットであればより高い閾値とし、フレームロス率であればより低い閾値とする）して確認する方法や、所定時間継続して輻輳が起きていないことを確認する方法でもよい。これにより、アクセスポイント４Ａは、通常モードに安定して移行することができる。
【０１２５】
ここで定型情報サーバ２Ａと通信できることを確認した場合（ステップＳ３１９のＯＫ）には、ステップＳ３０６に戻り、アクセスポイント４Ａは、通常モードに移行する。また、定型情報サーバ２Ａと通信できないことを確認した場合（ステップＳ３１９のＮＧ）には、アクセスポイント４Ａは、定型モードを継続する。
【０１２６】
以上に説明したとおり、第２の実施形態の情報提供システム１Ａによれば、ネットワーク３の機能が停止した場合に、ネットワーク３を利用することなくアクセスポイント４Ａから利用者の必要とする定型情報２６ｃを利用者端末６Ａへ提供することができる。これにより、利用者は、利用者端末６Ａを使ってイベント情報等を取得することができる。また、アクセスポイント４Ａは、定型モード時に利用者端末６Ａに対するアクセス制限を行わないので、より多くの利用者端末６Ａに対して定型情報２６ｃを提供することができる。また、利用者は、利用者端末６Ａに定型用アプリケーションをインストールして、定型時に起動することで、通常は接続できないアクセスポイント４Ａであっても接続することができる。
【０１２７】
＜変形例＞
第１の実施形態に対して第２の実施形態の機能を組み合わせて、アクセスポイント４において、災害に関する定型情報及びイベント等に関する定型情報を記録する構成とし、利用者端末６においては、災害用アプリケーションおよびイベント用アプリケーションの少なくとも一方をインストール済みとする構成であってもよい。
【０１２８】
上述した第１の実施形態における災害情報サーバ２、アクセスポイント４及び利用者端末６内の各機能又は第２の実施形態における定型情報サーバ２Ａ、アクセスポイント４Ａ及び利用者端末６Ａ内の各機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１２９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１３０】
１、１Ａ…情報提供システム，２…災害情報サーバ，２Ａ…定型情報サーバ，３…ネットワーク，４、４−１、４−２、４−３、４Ａ、４Ａ−１、４Ａ−２、４Ａ−３…アクセスポイント，５、５−１、５−２、５−３…無線ネットワーク，６、６−１、６−２、６−３、６−４、６−５、６Ａ、６Ａ−１、６Ａ−２、６Ａ−３、６Ａ−４、６Ａ−５…利用者端末，７…ＩＳＰ，２１、２６…定型情報ＤＢ，２２…災害関連情報ＤＢ，２３…定型情報生成部，２４…情報入力部，２５…通信部，２７…定型関連情報ＤＢ，２８…定型情報取得部，４１…第１無線通信部，４２…第２無線通信部，４３…位置情報格納部，４４、４７…定型情報格納部，４５、４８…定型情報処理部，４６…有線通信部，４９…制御部，６１…通常時用通信部，６２…災害時用通信部，６３、６７…情報処理部，６４…表示部，６５、６８…定型情報保存部，６６…定型情報用通信部
【図１】
2017055342.tif 000003
【図２】
2017055342.tif 000004
【図３】
2017055342.tif 000005
【図４】
2017055342.tif 000006
【図５】
2017055342.tif 000007
【図６】
2017055342.tif 000008
【図７】
2017055342.tif 000009
【図８】
2017055342.tif 000010
【図９】
2017055342.tif 000011
【図１０】
2017055342.tif 000012